(57)【要約】【課題】引込み線が使用されているか否かを、引込み先の施設にいる作業者だけで判定することができる技術を提供すること。【解決手段】通信用の引込み線に取り付け可能であり、前記引込み線に電圧又は電流を印加する印加部と、前記引込み線に取り付けられ、前記引込み線にかかる電圧と、前記引込み線を流れる電流とのいずれか一方又は両方を検出し、検出した電圧の電圧値と電流の電流値とのいずれか一方又は両方を測定する電気諸量測定部と、前記電気諸量測定部が測定した電圧値又は電流値に基づいて前記引込み線が使用されているか否かを判定する使用状況判定部と、を備える判定装置。【選択図】図２
2019030185.tif 000002
【特許請求の範囲】
【請求項１】
通信用の引込み線に取り付け可能であり、前記引込み線に電圧又は電流を印加する印加部と、
前記引込み線に取り付けられ、前記引込み線にかかる電圧と、前記引込み線を流れる電流とのいずれか一方又は両方を検出し、検出した電圧の電圧値と電流の電流値とのいずれか一方又は両方を測定する電気諸量測定部と、
前記電気諸量測定部が測定した電圧値又は電流値に基づいて前記引込み線が使用されているか否かを判定する使用状況判定部と、
を備える判定装置。
【請求項２】
前記印加部は、前記引込み線にコモンモードの電圧とコモンモードの電流とのいずれか一方又は両方を印加し、
前記電気諸量測定部は、前記コモンモードの電圧の電圧値と、前記コモンモードの電流の電流値とのいずれか一方又は両方を取得する、
請求項１に記載の判定装置。
【請求項３】
前記印加部は、前記引込み線に非接触な状態で前記引込み線に電圧又は電流を印加する、
請求項１又は２に記載の判定装置。
【請求項４】
前記電気諸量測定部は、前記引込み線にかかる電圧と前記引込み線を流れる電流とのいずれか一方又は両方を、前記引込み線に非接触な状態で検出する、
請求項１から３のいずれか一項に記載の判定装置。
【発明の詳細な説明】
【技術分野】
【０００１】
本発明は、判定装置に関する。
【背景技術】
【０００２】
住居等の施設には、使用されなくなった通信用の引込み線が撤去されずに引込まれたままとなっている場合がある。そのような引込み線を撤去する場合、作業者は対象の引込み線が使用されているか否かを確認する必要がある。従来、引込み線が使用されているか否かの判定は、その引込み先の施設にいる作業者が確認対象の引込み線に電圧又は電流を印加し、引込み線に生じた電圧又は電流の値を通信センタにいる作業者が遠隔地から測定することにより行われていた。
【先行技術文献】
【特許文献】
【０００３】
【特許文献１】特開２００６−２４２８５５号公報
【発明の概要】
【発明が解決しようとする課題】
【０００４】
このように、従来は、引込み線が使用されているか否かの判定には、複数の作業者を必要とした。そのため、引込み線が使用されているか否かを判定する際には、作業者間の時間調整等が必要となり、その判定作業に係る作業者の負担が大きいという課題があった。
【０００５】
上記事情に鑑み、本発明は、引込み線が使用されているか否かを、引込み先の施設にいる作業者だけで判定することができる技術を提供することを目的としている。
【課題を解決するための手段】
【０００６】
本発明の一態様は、通信用の引込み線に取り付け可能であり、前記引込み線に電圧又は電流を印加する印加部と、前記引込み線に取り付けられ、前記引込み線にかかる電圧と、前記引込み線を流れる電流とのいずれか一方又は両方を検出し、検出した電圧の電圧値と電流の電流値とのいずれか一方又は両方を測定する電気諸量測定部と、前記電気諸量測定部が測定した電圧値又は電流値に基づいて前記引込み線が使用されているか否かを判定する使用状況判定部と、を備える判定装置である。
【０００７】
本発明の一態様は、上記の判定装置であって、前記印加部は、前記引込み線にコモンモードの電圧とコモンモードの電流とのいずれか一方又は両方を印加し、前記電気諸量測定部は、前記コモンモードの電圧の電圧値と、前記コモンモードの電流の電流値とのいずれか一方又は両方を取得する。
【０００８】
本発明の一態様は、上記の判定装置であって、前記印加部は、前記引込み線に非接触な状態で前記引込み線に電圧又は電流を印加する。
【０００９】
本発明の一態様は、上記の判定装置であって、前記電気諸量測定部は、前記引込み線にかかる電圧と前記引込み線を流れる電流とのいずれか一方又は両方を、前記引込み線に非接触な状態で検出する。
【発明の効果】
【００１０】
本発明により、引込み線が使用されているか否かを、引込み先の施設にいる作業者だけで判定することが可能となる。
【図面の簡単な説明】
【００１１】
【図１】実施形態の判定装置１が使用される環境の具体例を示す図。
【図２】実施形態の判定装置１の機能構成の具体例を示す図。
【図３】実施形態の引込み線９１２が使用されている場合と使用されていない場合とにおける、電圧検出部１３０２及び電流検出部１３０３が検出する電気諸量の特徴を説明する図。
【図４】実施形態の判定装置１が、引込み線９１２が使用されているか否かを判定する処理の流れを表すフローチャート。
【図５】実施形態の判定装置１を図１に示す環境において使用した場合であって、引込み線９１２が使用されている場合の判定装置１の使用例を示す図。
【図６】実施形態の判定装置１を図１に示す環境において使用した場合であって、引込み線９１２が使用されていない場合の判定装置１の使用例を示す図。
【図７】実施形態の判定装置１が二つの筐体と、それらに接続された印加用プローブ１１及び検出用プローブ１２とによって構成されることを示す、判定装置１の具体的な構成図。
【図８】実施形態の判定装置１が二つの筐体と、それらに接続された印加用プローブ１１及び検出用プローブ１２とによって構成されることを示す、判定装置１の具体的な構成図。
【発明を実施するための形態】
【００１２】
図１は、実施形態の判定装置１が使用される環境の具体例を示す図である。図１の例では、通信センタビル９０１及び被設置建造物９０２は、架空ケーブル９１１及び引込み線９１２によって接続されている。架空ケーブル９１１及び引込み線９１２は通信用の電線であって、例えば、電話線である。架空ケーブル９１１及び引込み線９１２は、電柱９０３に取り付けられた接続端子かん９０４によって接続される。引込み線９１２は、Ｌ型金物９０５、分線金物９０６、Ｃ型金物９０７及び配線クリート９０８によって固定され、接続端子かん９０４及び保安器９０９を接続する。保安器９０９は、地気線９１３によって、接地棒９１０に接続されている。
【００１３】
通信センタビル９０１は、通信を管理する施設である。通信センタビル９０１は、交換機９０１１と集線盤９０１２とを備える。交換機９０１１は、発信元の電話回線と発信先の電話回線とを発信元の要求に応じて接続する装置である。また、交換機９０１１は、集線盤９０１２と電気的に接続されている。集線盤９０１２は、架空ケーブル９１１を含め図１には図示していない他の被設置建造物に接続された通信線を集線する。集線盤９０１２は、集線した通信線を交換機に接続する。
【００１４】
被設置建造物９０２は、引込み線９１２の引込み先の施設であって、例えば、家屋である。Ｌ型金物９０５及び分線金物９０６は、引込み線９１２を電柱９０３に固定する金具である。Ｃ型金物９０７は、引込み線９１２を被設置建造物９０２に固定する金具である。配線クリート９０８は、被設置建造物９０２に引込み線９１２を固定する、陶器又はエボナイト製の器具である。接続端子かん９０４は、架空ケーブル９１１と引込み線９１２とを接続する。保安器９０９は、地気線９１３を介して接地棒９１０に接続されることで、引込み線９１２を雷やサージ電流等による過電圧及び過電流から保護する。
【００１５】
図２は、実施形態の判定装置１の機能構成の具体例を示す図である。判定装置１は、バスで接続されたＣＰＵ（Central Processing Unit）やメモリや補助記憶装置などを備え、プログラムを実行する。判定装置１は、プログラムの実行によって印加用プローブ１１、検出用プローブ１２及び処理部１３を備える装置として機能する。判定装置１は、引込み線９１２に取り付けられる。判定装置１は、自身の取り付け先の引込み線９１２が使用されているか否かを判定（以下「使用状況判定」という。）する。なお、判定装置１の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。プログラムは、電気通信回線を介して送信されてもよい。
【００１６】
印加用プローブ１１は、引込み線９１２に非接触な状態で引込み線９１２に電流及び電圧を印加する。印加用プローブ１１は、中空の円筒の形状を有しており、内部に絶縁材で形成された引込み線９１２の固定部と電極とを有する。印加用プローブ１１は、電極に電流及び電圧を印加することにより生じる電磁誘導現象によって、中空の部分に通された引込み線９１２に電流及び電圧を印加する。印加用プローブ１１は、引込み線９１２に、例えばコモンモードで、電流及び電圧を印加する。以下、印加用プローブ１１が印加する電流を試験電流といい、印加用プローブ１１が印加する電圧を試験電圧という。印加用プローブ１１は、引込み線９１２に取付け可能であり、引込み線９１２からの取り外しも可能である。
【００１７】
検出用プローブ１２は、引込み線９１２と非接触な状態で自身に電流及び電圧を誘起する。例えば、検出用プローブ１２は、中空の円筒の形状を有しており、内部に絶縁材で形成された引込み線９１２の固定部と電極とを有する。検出用プローブ１２は、中空の部分に通された引込み線９１２にかかる電圧と電流とにより生じる電磁誘導現象によって、自身の電極に電圧及び電流を誘起する。検出用プローブ１２に誘起された電圧は、印加用プローブ１１によって印加された電圧に加えて、引込み線９１２による電圧降下や、ノイズなどを含んだ電圧である。以下、検出用プローブに誘起される電圧を電圧信号といい、検出用プローブに誘起される電流を電流信号という。検出用プローブ１２は、引込み線９１２に取付け可能であり、引込み線９１２からの取り外しも可能である。
【００１８】
処理部１３は、印加用プローブ１１が印加した試験電圧及び試験電流の振幅及び周波数と、検出用プローブ１２に誘起された電圧及び電流の振幅と周波数とに基づいて、引込み線９１２が使用されているか否かを判定する。
【００１９】
処理部１３は、入力部１３０１、印加制御部１３０２、電圧検出部１３０３、電流検出部１３０４、電圧用バンドパスフィルタ１３０５、電流用バンドパスフィルタ１３０６、電圧用増幅部１３０７、電流用増幅部１３０８、Ａ／Ｄ変換部１３０９、演算部１３１０、閾値取得部１３１１、判定部１３１２及び判定結果表示部１３１３を備える。
なお、図２記載のＢＰＦ（Band Path Filter）は、バンドパスフィルタを意味する。
【００２０】
入力部１３０１は、ボタン等の入力装置を含んで構成される。又は、入力部１３０１は、これらの入力装置を自装置に接続するインタフェースとして構成されてもよい。入力部１３０１は、自装置に対する、使用状況判定の処理の開始を指示する情報（以下「開始情報」という。）の入力を受け付ける。入力部１３０１は、入力された情報を印加制御部１３０２に出力する。開始情報は、ユーザによって入力されてもよいし、他の装置によって入力されてもよい。
【００２１】
印加制御部１３０２は、入力部１３０１に入力された開始情報を取得して、印加用プローブ１１に対する、電圧・電流の印加を制御する。印加制御部１３０２は、判定装置１が備えるメモリ等の記憶装置（図示せず）に予め記憶された周波数、振幅及び波形を有する試験電圧及び試験電流を生成する。例えば、印加制御部１３０２は、可聴帯域ではない帯域の周波数で振動し、波形が正弦波である交流電圧及び交流電流を試験電圧及び試験電流として生成する。例えば、印加制御部１３０２は、試験電圧及び試験電流として周波数が３０ｋＨｚや３５０ｋＨｚの周波数の交流電圧及び交流電流を生成する。印加用プローブ１１は、生成した試験電圧及び試験電流を引込み線９１２に印加するように印加用プローブ１１を制御する。
【００２２】
電圧検出部１３０３は、検出用プローブ１２に印加された電圧信号を電圧用バンドパスフィルタ１３０５に出力する。電流検出部１３０４は、検出用プローブ１２に印加された電流信号を検出し、電流信号を電流用バンドパスフィルタ１３０６に出力する。
【００２３】
電圧用バンドパスフィルタ１３０５は、電圧検出部１３０３が検出した電圧から、印加用プローブ１１によって印加された試験電圧と同じ周波数で時間変化する電圧を抽出する。
【００２４】
電流用バンドパスフィルタ１３０６は、電流検出部１３０４が検出した電流から、印加用プローブ１１によって印加された試験電流と同じ周波数で時間変化する電流を抽出する。
【００２５】
電圧用増幅部１３０７及び電流用増幅部１３０８は、自身に入力された電圧の振幅及び電流の振幅を、判定装置１が備えるメモリに予め記憶された所定の値まで増幅する。
【００２６】
Ａ／Ｄ変換部１３０９は、自身に入力された電圧又は電流に対して標本化と量子化とを行ってそれらをデジタル信号に変換する、ＡＤ（Analog-to-Digital）コンバータである。
【００２７】
演算部１３１０は、電圧を表すデジタル信号と、電流を表すデジタル信号とに基づいて、それらのデジタル信号が表す電圧及び電流の値を数値化（すなわち測定）し、その電圧値と電流値との比を算出する。
【００２８】
閾値取得部１３１１は、判定装置１が備えるメモリに予め記憶された所定の値（以下「判定用閾値」という。）を取得し、判定部１３１２に出力する。
【００２９】
判定部１３１２は、演算部１３１０が算出した値と、閾値取得部１３１１が出力した所定の値とを比較することにより、使用状況判定をする。
【００３０】
判定結果表示部１３１３は、ＣＲＴ（Cathode Ray Tube）ディスプレイ、液晶ディスプレイ、有機ＥＬ（Electro Luminescence）ディスプレイ等の表示装置を含んで構成される。判定結果表示部１３１３は、これらの入力装置を自装置に接続するインタフェースとして構成されてもよい。この場合、判定結果表示部１３１３は、判定部１３１２による判定の結果を表示装置に表示させるための信号を生成し、自身に接続されている表示装置にその信号を出力する。
【００３１】
図３は、電圧検出部１３０３及び電流検出部１３０４が検出する電気諸量の特徴を説明する図である。行１０２は、電圧検出部１３０３が検出する電圧（以下「検出電圧」という。）の値は、引込み線９１２が使用されている場合よりも使用されていない場合の方が大きいことを示す。一般的に、引込み線９１２が使用されていない場合には、引込み線９１２を含む回路上に、開放端であって電気的に接続されていない箇所が存在する。そのため、開放端における電圧降下がおきないために、電圧検出部１３０３が検出する電圧値は、引込み線９１２が使用されている場合よりも使用されていない場合の方が大きい。
【００３２】
行１０３は、電流検出部１３０４が検出する電流（以下「検出電流」という。）の値は、引込み線９１２が使用されている場合よりも使用されていない場合の方が小さいことを示す。前述したように、一般的に、使用されていない引込み線９１２には電気的に接続されていない箇所が存在する。そのため、開放端において電流が流れないために、電流検出部１３０４が検出する電流値は、引込み線９１２が使用されている場合よりも使用されていない場合の方が小さい。
【００３３】
行１０４は、電圧検出部１３０３が検出する検出電圧と電流検出部１３０４が検出する検出電流とに関して、その電流値に対する電圧値の比（以下「コンダクタンス」という。）は、引込み線９１２が使用されている場合よりも使用されていない場合の方が小さいことを示す。これは、前述した、検出電圧及び検出電流の値の大小関係によって導出される。
【００３４】
実施形態の判定装置１は、図３に示されたコンダクタンスの値と、コンダクタンスに対して予め設けられた閾値との大小関係によって使用状況判定をする。引込み線９１２の使用判定は、コンダクタンスの値で行われなくても、よい。例えば、検出電圧と検出電圧に設けられた閾値との大小関係によって行われてもよいし、検出電流と検出電流に設けられた閾値との大小関係によって行われてもよい。また、コンダクタンスではなくて、インピーダンスによって行われてもよい。
【００３５】
図４は、実施形態の判定装置１が、使用状況判定の処理の流れを表すフローチャートである。
【００３６】
入力部１３０１は、開始情報を取得する（ステップＳ１０１）。次に、印加制御部１３０２が印加用プローブ１１を介して、予め定められた試験電圧及び試験電流を、引込み線９１２に印加する（ステップＳ１０２）。
【００３７】
電圧検出部１３０３は、検出用プローブ１２に誘起された電圧信号を検出し、その電圧信号を電圧用バンドパスフィルタ１３０５に出力する。また、電流検出部１３０４は、検出用プローブ１２に誘起された電流信号を検出し、その電流信号を電流用バンドパスフィルタ１３０６に出力する（ステップＳ１０３）。電圧用バンドパスフィルタ１３０５は、電圧検出部１３０３に検出された電圧信号を取得し、その電圧信号からステップＳ１０２において印加用プローブ１１が生成した試験電圧と同じ周波数の電圧を抽出する。また、電流用バンドパスフィルタ１３０６は、電流検出部１３０４に検出された電流信号を取得し、その電流信号からステップＳ１０２において印加用プローブ１１が生成した試験電流と同じ周波数の電流を抽出する（ステップＳ１０４）。
【００３８】
電圧用増幅部１３０７は、電圧用バンドパスフィルタ１３０５によって抽出された電圧の振幅を、判定装置１が備えるメモリに予め記憶された値まで増幅する。電流用増幅部１３０８は、電流用バンドパスフィルタ１３０６によって抽出された電流の振幅を、所定の大きさの振幅まで増幅する（ステップＳ１０５）。所定の大きさを示す情報は、予め判定装置１が備えるメモリに記憶されている。
【００３９】
Ａ／Ｄ変換部１３０９は、電圧用増幅部１３０７が増幅した電圧と、電流用増幅部１３０８が増幅した電流とに対して標本化及び量子化を行い、それぞれデジタル信号に変換する（ステップＳ１０６）。演算部１３１０は、デジタル信号に変換された電圧と電流とを取得し、そのコンダクタンスを算出する（ステップＳ１０７）。閾値取得部１３１１は、判定装置１が備えるメモリに予め記憶された所定の値を取得し、判定部１３１２に出力する（ステップＳ１３１０）。判定部１３１２は、演算部１３１０が算出したコンダクタンスの大きさが、閾値取得部１３１１が取得した判定用閾値よりも大きいか否かによって使用状況判定をする（ステップＳ１０８）。コンダクタンスが判定用閾値以上の場合（ステップＳ１０８：Ｙｅｓ）、判定部１３１２は、引込み線９１２が使用されていないと判定し、判定結果表示部１３１３に、判定結果を出力する（ステップＳ１０９）。一方、コンダクタンスが判定用閾値未満の場合（ステップＳ１０８：Ｎｏ）、判定部１３１２は、引込み線９１２が使用されていると判定し、判定結果表示部１３１３に、判定結果を出力する（ステップＳ１０９）。
【００４０】
図５は、実施形態の判定装置１の使用例を示す図である。図５の例において、判定装置１は、印加用プローブ１１と検出用プローブ１２との円柱の中心に自身の取り付き先の引込み線９１２を通すようにして、分線金物９０６とＣ型金物９０７との間の引込み線９１２に取り付けられる。また、図５の例において、判定装置１は、モニター２に接続されている。モニター２は、判定装置１の判定結果を表示する出力装置である。また、図５において、判定装置１は、クランプレバー１４を備える。クランプレバー１４は、判定装置１を引込み線９１２に取り付ける際に使用されるレバーである。
【００４１】
判定装置１は、印加用プローブ１１を介してコモンモードの電圧及び電流を引込み線９１２に印加する。印加されたコモンモードの電流は、引込み線９１２を含む回路に断線された箇所がないため、大地を介した閉回路を図の二重線で表された矢印の向きに流れる。大地を介した閉回路（以下「コモンモード用閉回路」という。）は、引込み線９１２と、保安器９０９から接地棒９１０までを接続する地気線９１３と、接地棒９１０から交換機９０１１の接地箇所までをつなぐ大地と、交換機９０１１の接地箇所から架空ケーブル９１１までをつなぐ電気線とによって構成される閉回路である。判定装置１は、検出用プローブ１２を介して、コモンモード用閉回路を図の二重線で表された矢印の向きに流れてきた電流を検出する。また、判定装置１は、印加用プローブ１１によって印加された電圧よりもコモンモード用閉回路の抵抗によって引き起こされた電圧降下の大きさだけ小さな電圧を、検出用プローブ１２を介して検出する。その電圧及び電流の検出をした判定装置１は、引込み線９１２が使用されていることを示す表示を出力するようモニター２に指示する。モニター２は、引込み線９１２が使用されていることを示す情報を表示する。図５の例では、モニター２は、引込み線９１２が使用されていることを示すために、自身の画面上に「現用」と表示している。
【００４２】
図６は、引込み線９１２が使用されていない場合における判定装置１の使用例を示す図である。図６の例では、通信センタビル９０１の集線盤９０１２において、引込み線９１２を含む回路が断線している。図６のバツ印は、集線盤９０１２において、断線した箇所があることを示す。
【００４３】
判定装置１は、印加用プローブ１１を介してコモンモードの電圧及び電流を引込み線９１２に印加する。印加されたコモンモードの電流は、引込み線９１２を含む回路に断線された箇所があるため、引込み線９１２を含む回路に断線された箇所がない回路を流れる電流の電流値よりも小さな電流値の電流、として引込み線９１２を含む回路を流れる。一方、印加されたコモンモードの電圧は、引込み線９１２を含む回路に断線された箇所がない場合と比較して、電圧降下が小さい分だけ大きい。そのため、判定装置１は、引込み線９１２が使用されている場合に取得する電流値及び電圧値よりも小さな電流値と大きな電圧値とを取得する。小さな電流値の電流と大きな電圧値の電圧とを取得した判定装置１は、引込み線９１２が使用されていないことを示す表示を出力するようにモニター２に指示する。モニター２は、引込み線９１２が使用されていないことを自身の画面上に表示する。図６の例では、モニター２は、使用されていないことを示すために、自身の画面上に「非現用」と表示している。
【００４４】
このように構成された、実施形態の判定装置１によれば、電柱９０３と被設置建造物９０２の保安器９０９とを接続する引込み線９１２に取り付け可能な印加用プローブ１１及び検出用プローブ１２を備えるために、使用されていない引込み線の判定を一人の作業者が行うことができる。
【００４５】
（変形例）
判定装置１は、印加用プローブ１１及び検出用プローブ１２以外の機能部が必ずしもひとつの筐体によって構成されなくてもよい。図７及び図８は、実施形態の判定装置１の印加用プローブ１１及び検出用プローブ１２以外の機能部が２つの筐体によって構成される場合の判定装置１の具体的な構成図である。
【００４６】
図７の例では、判定装置１は、印加用プローブ１１及び検出用プローブ１２が接続された筐体１３−ａと、筐体１３−ｂとの二つの筐体によって構成される。筐体１３−ａは、入力部１３０１、印加制御部１３０２、電圧検出部１３０３、電流検出部１３０４、電圧用ＢＰＦ１３０５及び電流用ＢＰＦ１３０６を備える。筐体１３−ｂは、電圧用増幅部１３０７、電流用増幅部１３０８、Ａ／Ｄ変換部１３０９、演算部１３１０、閾値取得部１３１１、判定部１３１２及び判定結果表示部１３１３を備える。
【００４７】
図８の例では、判定装置１は、印加用プローブ１１が接続された筐体１３−ｃと、及び検出用プローブ１２が接続された筐体１３−ｄとの二つの筐体によって構成される。筐体１３−ｃは、入力部１３０１及び印加制御部１３０２を備える。筐体１３−ｄは、電圧検出部１３０３、電流検出部１３０４、電圧用ＢＰＦ１３０５及び電流用ＢＰＦ１３０６、電圧用増幅部１３０７、電流用増幅部１３０８、Ａ／Ｄ変換部１３０９、演算部１３１０、閾値取得部１３１１、判定部１３１２及び判定結果表示部１３１３を備える。
【００４８】
判定装置１は、検知した電圧又は電流をデジタル信号に変換する際に、印加制御部１３０２によって生成された試験電圧及又は試験電流と、判定装置１が検知した電圧又は電流と、の同期をとってもよい。判定装置１は、同期をとるために、試験電圧又は試験電流の立ち上がり及び立下りのタイミングを示す信号を、Ａ／Ｄ変換部１３０９に出力する同期制御部（図示せず）を備えてもよい。
【００４９】
判定装置１による判定結果のユーザへの通知方法は、必ずしも表示によらなければならないことはなく、他の通知方法であってもよい。例えば、音による通知であってもよい。
【００５０】
なお、印加用プローブ１１と、印加制御部１３０２とは、印加部の一例である。また、検出用プローブ１２、電圧検出部１３０３、電流検出部１３０４、電圧用バンドパスフィルタ１３０５、電流用バンドパスフィルタ１３０６、電圧用増幅部１３０７、電流用増幅部１３０８、Ａ／Ｄ変換部１３０９及び演算部１３１０は電気諸量測定部の一例である。判定部１３１２は、使用状況判定部の一例である。
【００５１】
以上、この発明の実施形態について図面を参照して詳述してきたが、具体的な構成はこの実施形態に限られるものではなく、この発明の要旨を逸脱しない範囲の設計等も含まれる。したがって、本発明の範囲は、特許請求の範囲及びその均等範囲によってのみ規定されるものである。
【符号の説明】
【００５２】
１…判定装置、２…モニター、９０１…通信センタビル、９０２…被設置建造物、９０３…電柱、９０４…接続端子かん、９０５…L型金物、９０６…分線金物、９０７…Ｃ型金物、９０８…配線クリート、９０９…保安器、９１０…接地棒、９１１…架空ケーブル、９１２…引込み線、９１３…地気線、９０１１…交換機、９０１２…集線盤、１３０１…入力部、１３０２…印加制御部、１３０３…電圧検出部、１３０４…電流検出部、１３０５…電圧用バンドパスフィルタ、１３０６…電流用バンドパスフィルタ、１３０７…電圧用増幅部、１３０８…電流用増幅部、１３０９…Ａ／Ｄ変換部、１３１０…演算部、１３１１…閾値取得部、１３１２…判定部、１３１３…判定結果表示部
【図１】
2019030185.tif 000003
【図２】
2019030185.tif 000004
【図３】
2019030185.tif 000005
【図４】
2019030185.tif 000006
【図５】
2019030185.tif 000007
【図６】
2019030185.tif 000008
【図７】
2019030185.tif 000009
【図８】
2019030185.tif 000010
【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
通信用の引き込み線に取り付け可能であり、前記引き込み線に試験電圧及び試験電流を印加する印加部と、
前記引き込み線に取り付けられ、前記引き込み線にかかる前記試験電圧と同じ周波数の電圧と、前記引き込み線を流れる前記試験電流と同じ周波数の電流を検出し、検出した電圧の電圧値と電流の電流値を測定する電気諸量測定部と、
前記電気諸量測定部が測定した電圧値と電流値に基づいて前記引き込み線が使用されているか否かを判定する使用状況判定部と、
を備え、
前記使用状況判定部は、前記電気諸量測定部が測定した電圧値と電流値の比を求め、該比と閾値との大小関係によって使用状況を判定することを特徴とする判定装置。
【手続補正２】
【補正対象書類名】明細書
【補正対象項目名】０００６
【補正方法】変更
【補正の内容】
【０００６】
本発明の一態様は、通信用の引き込み線に取り付け可能であり、前記引き込み線に試験電圧及び試験電流を印加する印加部と、前記引き込み線に取り付けられ、前記引き込み線にかかる前記試験電圧と同じ周波数の電圧と、前記引き込み線を流れる前記試験電流と同じ周波数の電流を検出し、検出した電圧の電圧値と電流の電流値を測定する電気諸量測定部と、前記電気諸量測定部が測定した電圧値と電流値に基づいて前記引き込み線が使用されているか否かを判定する使用状況判定部と、を備え、前記使用状況判定部は、前記電気諸量測定部が測定した電圧値と電流値の比を求め、該比と閾値との大小関係によって使用状況を判定する判定装置である。
【手続補正３】
【補正対象書類名】図面
【補正対象項目名】図３
【補正方法】変更
【補正の内容】
【図３】
2019030185.tif 000011